(57)【要約】【課題】バネ部材の配置の自由度を向上させることが可能な対震蝶番を提供する。【解決手段】本発明の対震蝶番１は、扉枠又は扉の一方に固定される第１羽根部材４と、扉枠又は扉の他方に固定される第２羽根部材５と、前記第１羽根部材４に前記第２羽根部材５を水平方向回転可能且つ上下動可能に連結する軸部材６と、弾発力によって前記第１羽根部材４と前記第２羽根部材５の間に上下方向に隙間Ｘを形成するバネ部材７と、を備え、前記軸部材６は、前記第１羽根部材４に対して上下動可能に設けられていることを特徴とする。【選択図】図２
2013104242.tif 000002
【特許請求の範囲】
【請求項１】
扉枠又は扉の一方に固定される第１羽根部材と、
扉枠又は扉の他方に固定される第２羽根部材と、
前記第１羽根部材に前記第２羽根部材を水平方向回転可能且つ上下動可能に連結する軸部材と、
弾発力によって前記第１羽根部材と前記第２羽根部材の間に上下方向に隙間を形成するバネ部材と、を備え、
前記軸部材は、前記第１羽根部材に対して上下動可能に設けられていることを特徴とする対震蝶番。
【請求項２】
前記軸部材には、前記第１羽根部材側の端部に挿入溝が設けられ、
前記バネ部材は、前記第１羽根部材と前記軸部材の間に介装されていることを特徴とする請求項１に記載の対震蝶番。
【請求項３】
前記バネ部材は、複数個が内側と外側に重ねて配置された状態で、前記第１羽根部材と前記軸部材の間に介装されていることを特徴とする請求項１に記載の対震蝶番。
【発明の詳細な説明】
【技術分野】
【０００１】
本発明は、扉枠に扉を取り付けるための蝶番に関し、特に、地震等の災害時に扉を円滑に開閉させるための対震蝶番に関する。
【背景技術】
【０００２】
従来、扉枠に扉を取り付けるための蝶番として、扉枠に固定される第１羽根部材と、扉に固定される第２羽根部材と、第１羽根部材に第２羽根部材を水平方向回転可能に連結する軸部材と、を備えたものが存在する。
【０００３】
また、特許文献１には、上記各構成に加えて、弾発力によって第１羽根部材と第２羽根部材の間に上下方向に隙間を形成するバネ部材（「ばね２０」参照）を備えた所謂「対震蝶番」が開示されている。この従来技術においては、地震等によって第１羽根部材と第２羽根部材を接近させる方向の外力（圧縮力）が対震蝶番に作用した場合に、バネ部材が収縮することで上記した外力を吸収し、各羽根部材の変形を防止して扉の円滑な開閉を維持できるようになっている。
【先行技術文献】
【特許文献】
【０００４】
【特許文献１】特許第４０２８４７８号公報
【発明の概要】
【発明が解決しようとする課題】
【０００５】
しかしながら、特許文献１に記載の対震蝶番では、第１羽根部材（「下羽根板６」参照）に軸部材（「軸２６」参照）が固定されている。そのため、第１羽根部材と軸部材の間に上記したバネ部材を介装しても、バネ部材を作動させることはできない。従って、バネ部材の設置箇所は、第２羽根部材と軸部材の間に実質的に限定されており、バネ部材の配置の自由度が低くなっていた。
【０００６】
また、特許文献１の対震蝶番においては、軸部材の上方にバネ部材が同軸上に配置されており、軸部材の長さにバネ部材の長さを加えた長さよりも対震蝶番全体の上下長さを短くすることは、構造上不可能である。そのため、バネ部材を有しない従来型の蝶番よりも上下長さが必然的に長くなってしまう。その結果、例えば、従来型の蝶番が扉の上端や下端に取り付けられているような場合に、この蝶番を対震蝶番に交換しようとしても、対震蝶番の取付に必要な上下長さを確保することができず、対震蝶番への交換ができないといった不都合を生じる。
【０００７】
そこで、本発明は上記の事情を考慮し、バネ部材の配置の自由度を向上させることが可能な対震蝶番を提供することを目的とする。
【課題を解決するための手段】
【０００８】
本発明に係る対震蝶番は、扉枠又は扉の一方に固定される第１羽根部材と、扉枠又は扉の他方に固定される第２羽根部材と、前記第１羽根部材に前記第２羽根部材を水平方向回転可能且つ上下動可能に連結する軸部材と、弾発力によって前記第１羽根部材と前記第２羽根部材の間に上下方向に隙間を形成するバネ部材と、を備え、前記軸部材は、前記第１羽根部材に対して上下動可能に設けられていることを特徴とする。
【０００９】
このような構成を採用することで、第１羽根部材と軸部材の間にバネ部材を介装した場合でもバネ部材を作動させることが可能となり、バネ部材の配置の自由度を向上させることが可能となる。
【００１０】
また、本発明に係る対震蝶番は、前記軸部材には、前記第１羽根部材側の端部に挿入溝が設けられ、前記バネ部材は、前記第１羽根部材と前記軸部材の間に介装されていても良い。
【００１１】
このように軸部材に挿入溝を設けることで、軸部材の長さにバネ部材の長さを加えた長さよりも対震蝶番全体の上下長さを短くすることが可能となる。そのため、たとえ従来型の蝶番が扉の上端や下端に取り付けられているような場合でも、この蝶番を対震蝶番に容易に交換することが可能となる。
【００１２】
また、本発明に係る対震蝶番は、前記バネ部材は、複数個が内側と外側に重ねて配置された状態で、前記第１羽根部材と前記軸部材の間に介装されていても良い。
【００１３】
このように複数個のバネ部材を内側と外側に重ねることで、１個のバネ部材を用いる場合よりもバネ部材の上下長さを短くしても、１個のバネ部材を用いる場合と同程度の弾発力を得ることが可能となる。そのため、１個のバネ部材を用いる場合よりも対震蝶番全体の上下長さを短くすることが可能となり、たとえ従来型の蝶番が扉の上端や下端に取り付けられているような場合でも、この蝶番を対震蝶番に容易に交換することが可能となる。
【発明の効果】
【００１４】
本発明の対震蝶番によれば、バネ部材の配置の自由度を向上させることが可能となる。
【図面の簡単な説明】
【００１５】
【図１】本発明の第１の実施形態に係る対震蝶番によって扉枠に取り付けられた扉の正面図である。
【図２】本発明の第１の実施形態に係る対震蝶番において、通常使用時の状態を示す断面図である。
【図３】本発明の第１の実施形態に係る対震蝶番において、地震等の非常時に外力が加わった状態を示す断面図である。
【図４】本発明の第２の実施形態に係る対震蝶番において、通常使用時の状態を示す断面図である。
【図５】本発明の第２の実施形態に係る対震蝶番において、地震等の非常時に外力が加わった状態を示す断面図である。
【発明を実施するための形態】
【００１６】
＜第１の実施形態＞
以下、図１〜図３に基づき、本発明の第１の実施形態に係る対震蝶番１について説明する。図１は、本発明の第１の実施形態に係る対震蝶番によって扉枠に取り付けられた扉の正面図である。図２は、本発明の第１の実施形態に係る対震蝶番において、通常使用時の状態を示す断面図である。図３は、本発明の第１の実施形態に係る対震蝶番において、地震等の非常時に外力が加わった状態を示す断面図である。
【００１７】
図１に示されるように、対震蝶番１は、矩形枠状の扉枠２とこの扉枠２内に設置される矩形状の扉３の間に設置されている。本実施形態では、扉３の上端と下端に計２個の対震蝶番１が設けられている。
【００１８】
図２に示されるように、対震蝶番１は、その下部に位置する第１羽根部材４と、第１羽根部材４の上方に配置される第２羽根部材５と、第１羽根部材４及び第２羽根部材５の一側（図面上は左側）に配置される軸部材６と、第１羽根部材４と軸部材６の間に介装されるバネ部材７と、を備えている。
【００１９】
第１羽根部材４は、平板状の第１固定部８と、この第１固定部８の一側（図面上は左側）に一体形成される円筒状の第１筒部１０と、第１筒部１０の下端に固定される第１ギボシ１１と、を備えている。
【００２０】
第１固定部８には、複数の取付孔１２が水平方向に穿設されている。そして、この取付孔１２に挿通されたネジ（図示せず）を扉枠２に締結することにより、第１羽根部材４が扉枠２に固定されている。
【００２１】
第１筒部１０には、第１挿入孔１３が上下方向に設けられている。第１挿入孔１３の下部には段差部１４が設けられ、この段差部１４よりも上側の部分の内径は段差部１４よりも下側の部分の内径よりも小さくなっている。
【００２２】
第１ギボシ１１は、第１筒部１０に溶接されて一体化されている。第１ギボシ１１は、円柱状の固定片１５と、この固定片１５の下方に一体形成される円盤状のフランジ部１６と、を備えている。
【００２３】
第１ギボシ１１の固定片１５の外径は、段差部１４よりも下側の部分における第１挿入孔１３の内径と略同一に設定されている。固定片１５は第１挿入孔１３に挿入されており、これにより、第１挿入孔１３の下端が閉止されて第１筒部１０が有底状を成している。以下、固定片１５の上面１７を第１ギボシ１１の上面１７と称する。第１ギボシ１１の上面１７の中央には、円柱状のバネ受け部１８が突設されている。
【００２４】
第１ギボシ１１のフランジ部１６の外径は、段差部１４よりも下側の部分における第１挿入孔１３の内径よりも大きく設定されている。フランジ部１６の上面は、第１筒部１０の下面に当接している。
【００２５】
第２羽根部材５は、平板状の第２固定部１９と、この第２固定部１９の一側（図面上は左側）に一体形成される円筒状の第２筒部２０と、第２筒部２０の上端に固定される第２ギボシ２１と、を備えている。
【００２６】
第２固定部１９には、複数の取付孔２２が水平方向に穿設されている。そして、この取付孔２２に挿通されたネジ（図示せず）を扉３に締結することにより、第２羽根部材５が扉３に固定されている。
【００２７】
第２筒部２０には、第２挿入孔２３が上下方向に設けられている。第２筒部２０の第２挿入孔２３の内径は、段差部１４よりも上側の部分における第１挿入孔１３の内径と略同一である。第２挿入孔２３の上端部には、断面略横向きＶ字状の環状溝２４が設けられている。第２筒部２０と第１筒部１０の間には、円筒状のカバー２５が設けられている。
【００２８】
第２ギボシ２１は、円柱状の固定片２６と、この固定片２６の上方に一体形成される円盤状のフランジ部２７と、を備えている。
【００２９】
第２ギボシ２１の固定片２６の外径は、第２筒部２０の第２挿入孔２３の内径と略同一に設定されている。固定片２６の外周面の下部には、断面略横向きＶ字状の環状突起２８が設けられている。そして、固定片２６を第２挿入孔２３に挿入し、固定片２６の環状突起２８を第２挿入孔２３の環状溝２４に嵌合させることで、第２ギボシ２１が第２筒部２０に固定されると共に、第２挿入孔２３の上端が閉止されて第２筒部２０が有蓋状を成している。以下、第２ギボシ２１の固定片２６の下面３０を、第２ギボシ２１の下面３０と称する。
【００３０】
第２ギボシ２１のフランジ部２７の外径は、第２筒部２０の第２挿入孔２３の内径よりも大きく設定されている。フランジ部２７の下面は、第２筒部２０の上面に当接している。
【００３１】
軸部材６は、円柱状を成している。軸部材６の外径は、段差部１４よりも上側の部分における第１挿入孔１３の内径及び第２挿入孔２３の内径と略同一に設定されている。
【００３２】
軸部材６の下部は、第１筒部１０の第１挿入孔１３に挿入されている。軸部材６と第１筒部１０は互いに固定されておらず、軸部材６が第１羽根部材４に対して上下動可能となっている。軸部材６の外周面の下端には環状の取付溝３２が凹設され、この取付溝３２にはリング３３が取り付けられている。リング３３は、軸部材６の外周面から突出し、第１筒部１０の第１挿入孔１３の段差部１４に当接している。これにより、軸部材６の上昇が規制されている。
【００３３】
軸部材６の上部は、第２筒部２０の第２挿入孔２３に挿入されている。軸部材６と第２筒部２０は互いに固定されておらず、軸部材６に対して第２羽根部材５が水平方向回転可能になっている。軸部材６の上端には、上方に向かってテーパ状に縮径する突当部３１が設けられている。突当部３１の上端は、半球状に湾曲して第２ギボシ２１の下面３０に当接している。
【００３４】
軸部材６の下端部には、軸部材６の底面から上方に向かって円柱状の挿入溝３４が凹設されている。挿入溝３４の下端には、下方に向かってテーパ状に拡径するガイド部３５が設けられている。挿入溝３４の上端には、上方に向かってテーパ状に縮径する縮径部３６が設けられており、挿入溝３４の上端は円錐形状を成している。
【００３５】
バネ部材７は、例えばコイルスプリングによって構成される。バネ部材７は、その下部から上端部までが軸部材６の挿入溝３４に挿入されている。バネ部材７の下端は、第１ギボシ１１の上面１７に当接しており、バネ受け部１８の周囲に取り付けられている。バネ部材７の上端は、挿入溝３４の縮径部３６の外周に当接している。バネ部材７は、その弾発力によって、第１羽根部材４に対して第２羽根部材５及び軸部材６を持ち上げており、第１羽根部材４と第２羽根部材５の間には、バネ部材７の弾発力に応じた隙間Ｘが上下方向に形成されている。
【００３６】
上記の如く構成されたものにおいて、例えば地震等によって扉枠２が平行四辺形状に変形した場合には、第１羽根部材４と第２羽根部材５を接近させる方向の外力（圧縮力）が対震蝶番１に作用する。この外力により、第２羽根部材５が第１羽根部材４に対して下降し、第２羽根部材５の第２ギボシ２１の下面３０が軸部材６の突当部３１の上端を押圧する。これに伴って、図３に示されるように、軸部材６が第１羽根部材４に対して下降し、バネ部材７が収縮する。このバネ部材７の収縮によって上記した外力が吸収され、第１羽根部材４及び第２羽根部材５の変形が防止されて扉３の円滑な開閉が維持される。
【００３７】
本実施形態の対震蝶番１では、軸部材６が第１羽根部材４に対して上下動可能に設けられているため、第１羽根部材４と軸部材６の間にバネ部材７を介装してもバネ部材７を作動させることが可能となる。これに伴って、バネ部材７の配置の自由度を向上させることが可能となる。
【００３８】
また、軸部材６の挿入溝３４にバネ部材７の一部が挿入されているため、軸部材６の長さにバネ部材７の長さを加えた長さよりも対震蝶番１の全体の上下長さを短くすることが可能となる。そのため、たとえ従来型の蝶番が扉の上端や下端に取り付けられているような場合でも、この蝶番を対震蝶番１に容易に交換することが可能となる。
【００３９】
本実施形態では、外力によって第２羽根部材５が第１羽根部材４に対して下降する場合を例に説明を行ったが、外力によって第１羽根部材４が第２羽根部材５に対して上昇する場合や、外力によって第１羽根部材４の上昇と第２羽根部材５の下降とが同時に発生する場合についても、バネ部材７の収縮によって外力が吸収される。
【００４０】
本実施形態では、扉枠２と扉３の間に計２個の対震蝶番１が設けられる場合について説明したが、他の異なる実施形態では、対震蝶番１の数は、１個又は３個以上の複数個であっても良い。
【００４１】
＜第２の実施形態＞
次に、図４と図５に基づき、本発明の第２の実施形態に係る対震蝶番４１について説明する。図４は、本発明の第２の実施形態に係る対震蝶番において、通常使用時の状態を示す断面図である。図５は、本発明の第２の実施形態に係る対震蝶番において、地震等の非常時に外力が加わった状態を示す断面図である。
【００４２】
図４に示されるように、対震蝶番４１は、その下部に位置する第１羽根部材４２と、第１羽根部材４２の上方に配置される第２羽根部材４３と、第１羽根部材４２及び第２羽根部材４３の一側（図面上は左側）に配置される軸部材４４と、第１羽根部材４２と軸部材４４の間に介装されるバネ部材４５、４６と、を備えている。
【００４３】
第１羽根部材４２は、平板状の第１固定部４７と、この第１固定部４７の一側（図面上は左側）に一体形成される円筒状の第１筒部４８と、第１筒部４８の下端に固定される第１ギボシ４９と、を備えている。
【００４４】
第１固定部４７には、扉枠２に第１羽根部材４２を固定するための取付孔４０が複数設けられている。第１筒部４８には、第１挿入孔５０が上下方向に設けられ、第１挿入孔５０の下端部には、上方に向かってテーパ状に縮径する嵌合溝５１が設けられている。第１挿入孔５０の上下方向中央付近には段差部５２が設けられ、この段差部５２よりも上側の部分の内径は段差部５２よりも下側の部分の内径よりも小さくなっている。
【００４５】
第１ギボシ４９は、円柱状の固定片５３と、この固定片５３の下方に一体形成される円盤状のフランジ部５４と、を備えている。
【００４６】
第１ギボシ４９の固定片５３の外周には、上方に向かってテーパ状に縮径する嵌合突起５５が設けられている。そして、固定片５３を第１挿入孔５０に挿入し、固定片５３の嵌合突起５５を第１挿入孔５０の嵌合溝５１に嵌合させることで、第１ギボシ４９が第１筒部４８に固定されると共に、第１挿入孔５０の下端が閉止されて第１筒部４８が有底状を成している。以下、固定片５３の上面５６を第１ギボシ４９の上面５６と称する。第１ギボシ４９の上面５６の中央には、円柱状のバネ受け部５７が突設されている。
【００４７】
第２羽根部材４３は、平板状の第２固定部５８と、この第２固定部５８の一側（図面上は左側）に一体形成される円筒状の第２筒部６０と、第２筒部６０の上端に固定される第２ギボシ６１と、を備えている。
【００４８】
第２固定部５８には、扉３に第２羽根部材４３を固定するための取付孔５９が複数設けられている。第２筒部６０には、第２挿入孔６２が上下方向に設けられている。第２挿入孔６２の上部には円環状の装着溝６３が設けられ、この装着溝６３には係止リング６４が装着されている。第２挿入孔６２の上端部には、断面略横向きＶ字状の環状溝６５が設けられている。第２筒部６０と第１筒部４８の間には、円筒状のカバー６６が設けられている。
【００４９】
第２ギボシ６１は、円柱状の固定片６７と、この固定片６７の上方に一体形成される円盤状のフランジ部６８と、を備えている。
【００５０】
第２ギボシ６１の固定片６７の外周面の上部には、断面略横向きＶ字状の環状突起７０が設けられている。そして、固定片６７を第２挿入孔６２に挿入し、固定片６７の環状突起７０を第２挿入孔６２の環状溝６５に嵌合させることで、第２ギボシ６１が第２筒部６０に固定されると共に、第２挿入孔６２の上端が閉止されて第２筒部６０が有蓋状を成している。第２ギボシ６１の固定片６７には、環状突起７０よりも下方に延びる延出部７１が設けられ、この延出部７１の下端が係止リング６４に当接している。以下、固定片６７の延出部７１の下面７２を、第２ギボシ６１の下面７２と称する。
【００５１】
軸部材４４は、円柱状を成している。軸部材４４の下部は、第１筒部４８の第１挿入孔５０に挿入されている。軸部材４４と第１筒部４８は互いに固定されておらず、軸部材４４が第１羽根部材４２に対して上下動可能となっている。軸部材４４の下端外周には鍔部７４が設けられている。鍔部７４の外径は、段差部５２よりも下側の部分における第１挿入孔５０の内径と略同一となっている。鍔部７４の上面は段差部５２に当接しており、これにより、軸部材４４の上昇が規制されている。鍔部７４の底面の中央には円柱状のバネ受け部７５が突設されている。
【００５２】
軸部材４４の上部は、第２筒部６０の第２挿入孔６２に挿入されている。軸部材４４と第２筒部６０は互いに固定されておらず、軸部材４４に対して第２羽根部材４３が水平方向回転可能になっている。軸部材４４の上端には、上方に向かってテーパ状に縮径する突当部７３が設けられている。突当部７３の上端は、半球状に湾曲して第２ギボシ６１の下面７２に当接している。
【００５３】
各バネ部材４５、４６は、例えばコイルスプリングによって構成されている。バネ部材４５とバネ部材４６は、内側と外側に重ねて配置された二重バネである。外側のバネ部材４６は内側のバネ部材４５よりも径の大きい線材を用いて形成されている。
【００５４】
各バネ部材４５、４６の下端部は、第１ギボシ４９の上面５６に当接しており、バネ受け部５７の周囲に配置されている。各バネ部材４５、４６の上端部は、軸部材４４の鍔部７４の底面に当接しており、バネ受け部７５の周囲に配置されている。各バネ部材４５、４６は、その弾発力によって、第１羽根部材４２に対して第２羽根部材４３及び軸部材４４を持ち上げており、第１羽根部材４２と第２羽根部材４３の間には、各バネ部材４５、４６の弾発力に応じた隙間Ｙが上下方向に形成されている。
【００５５】
上記の如く構成されたものにおいて、例えば地震等によって対震蝶番４１に外力（圧縮力）が作用すると、第２羽根部材４３が第１羽根部材４２に対して相対的に下降し、第２羽根部材４３の第２ギボシ６１の下面７２が軸部材４４の突当部７３の上端を押圧する。これに伴って、図５に示されるように、軸部材４４が第１羽根部材４２に対して相対的に下降し、各バネ部材４５、４６が収縮する。このバネ部材４５、４６の収縮によって上記した外力が吸収され、第１羽根部材４２及び第２羽根部材４３の変形が防止されて扉３の円滑な開閉が維持される。
【００５６】
本実施形態では上記のように、バネ部材４５とバネ部材４６を内側と外側に重ねて配置することで、１個のバネ部材を用いる場合よりもバネ部材の上下長さを短くしつつ、１個のバネ部材を用いる場合と同程度の弾発力を得ることが可能となっている。そのため、１個のバネ部材を用いる場合よりも対震蝶番１の全体の上下長さを短くすることが可能となり、たとえ従来型の蝶番が扉の上端や下端に取り付けられているような場合でも、この蝶番を対震蝶番１に容易に交換することが可能となる。
【００５７】
本実施形態では、外力によって第２羽根部材４３が第１羽根部材４２に対して下降する場合を例に説明を行ったが、外力によって第１羽根部材４２が第２羽根部材４３に対して上昇する場合や、外力によって第１羽根部材４２の上昇と第２羽根部材４３の下降とが同時に発生する場合についても、バネ部材４５、４６の収縮によって外力が吸収される。
【００５８】
本実施形態では、バネ部材として二重バネを用いる場合について説明したが、内側と外側に三重以上に重ねて配置されたバネによってバネ部材を形成しても良い。
【符号の説明】
【００５９】
１  対震蝶番
２  扉枠
３  扉
４  第１羽根部材
５  第２羽根部材
６  軸部材
７  バネ部材
３４  挿入溝
４１  対震蝶番
４２  第１羽根部材
４３  第２羽根部材
４４  軸部材
４５  バネ部材
４６  バネ部材
【図１】
2013104242.tif 000003
【図２】
2013104242.tif 000004
【図３】
2013104242.tif 000005
【図４】
2013104242.tif 000006
【図５】
2013104242.tif 000007